(57)【特許請求の範囲】
【請求項１】
下方に配置された下方垂直管の上端部に、上方垂直管の下端部を接続して管路となす垂直方向の管接続方法であって、両端部が上記垂直管の外径と略同じ大きさの管受け口とされ中央部内側に上記上端部の端面及び下端部の端面のいずれの端面にも当接可能な輪状の鍔が突設された円筒状の継手の鍔の下面に止水リングを装着する工程と、下方垂直管の上端部に上記継手の一方の管受け口を挿入して、上記下方垂直管上端部の管端面を継手の鍔の下面に装着された止水リングに当接する工程と、を有し、
上記継手は、熱可塑性樹脂、繊維強化熱硬化性合成樹脂、レジンコンクリートのいずれかから成り、
上方垂直管を下方に押すことで、鍔が、上方垂直管の下端部の端面と下方垂直管の上端部の端面とで圧縮されて変形され、鍔に装着された止水リングが、下方垂直管の上端部の端面と鍔とで圧縮されて変形することを特徴とする垂直方向の管接続方法。
【請求項２】
上記円筒状の継手が、鍔の上面又は下面の少なくとも一方の面中央部に、円周方向に沿って凹溝が設けられた継手とされ、下方垂直管の上端管端面又は上方垂直管の下端管端面の少なくとも一方の管端面に、上記凹溝に嵌合する止水リングが装着され、下方垂直管の上端部に上記継手の下方管受け口が装入され、上方垂直管の下端部が上記継手の上方管受け口に挿入され、上方垂直管を下方に押すことで、止水リングが上記凹溝に嵌合することを特徴とする請求項１記載の垂直方向の管接続方法。
【発明の詳細な説明】
【０００１】
【発明の属する技術分野】
本発明は、下方に配置された下方垂直管の上端部に、上方垂直管の下端部を接続して管路となす垂直方向の管接続部構造に関し、特に、大口径のレジンコンクリート製垂直下水管を人孔内に敷設する場合に好適に適用される、垂直方向の管接続方法に関する。
【０００２】
【従来の技術】
従来、大口径のレジンコンクリート（ＦＲＰＭ）製垂直下水管を人孔内に設置する場合には、下方に配置された垂直管と、これに積み重ねられる上方に配置される垂直下水管とは、両端部が管受け口とされ中央部内側に上記上端部の端面及び下端部の端面の両方の面に同時に当接可能な輪状の鍔が突設された円筒状の継手を介して接続される。
【０００３】
通常、大口径のＦＲＰＭ管は重量が大きく、これを積み重ねて垂直管路となす場合には、上方管をワイヤー等で吊り下げ、これを人孔内側壁に設けられたガイドレール等に沿わせて降下させ、下方で待っている継ぎ手の管受け口に挿入することが行われる。
【０００４】
この場合、止水のために、下方垂直管と上方垂直管とのそれぞれの管端部外周面、又は／及び継手の管受け口の内周面に止水リングが設けられるが、降下の際に管が振れたり、人孔内壁に予め取り付けられた垂直管取り付け金具の取り付け誤差等により、上方垂直管と下方垂直管との接続箇所において、互いの管軸同士がジグザグに折れて設置されてしまい、その箇所において止水性が悪くなるという問題点があった。
【０００５】
即ち、止水が、管と継手とのそれぞれの側壁面同士の間に設けられた止水リングにより行われるために、万一管の差し口が継手の管受け口内に管軸が斜めとなって降下してきても、あたかも管がこじられた状態のままで固定されてしまうのである。
【０００６】
【発明が解決しようとする課題】
本発明は、特に大口径のＦＲＰＭ製垂直下水管を人孔内に設置する場合に、上方垂直管と下方垂直管との接続箇所において、互いの管軸同士がジグザグに折れて設置されてしまうことがなく、かつ止水性に優れた垂直方向の管接続方法を提供する目的でなされたものである。
【０００７】
【課題を解決するための手段】
上記課題を解決するための本発明の垂直方向の管接続方法は、下方に配置された下方垂直管の上端部に、上方垂直管の下端部を接続して管路となす垂直方向の管接続方法であって、両端部が上記垂直管の外径と略同じ大きさの管受け口とされ中央部内側に上記上端部の端面及び下端部の端面のいずれの端面にも当接可能な輪状の鍔が突設された円筒状の継手の鍔の下面に止水リングを装着する工程と、下方垂直管の上端部に上記継手の一方の管受け口を挿入して、上記下方垂直管上端部の管端面を継手の鍔の下面に装着された止水リングに当接する工程と、を有し、
上記継手は、熱可塑性樹脂、繊維強化熱硬化性合成樹脂、レジンコンクリートのうちのいずれかから成り、
上方垂直管を下方に押すことで、鍔が、上方垂直管の下端部の端面と下方垂直管の上端部の端面とで圧縮されて変形され、鍔に装着された止水リングが、下方垂直管の上端部の端面と鍔とで圧縮されて変形することを特徴とする。
【０００８】
上記円筒状の継手が、鍔の上面又は下面の少なくとも一方の面中央部に、円周方向に沿って凹溝が設けられた継手とされ、下方垂直管の上端管端面又は上方垂直管の下端管端面の少なくとも一方の管端面に、上記凹溝に嵌合する止水リングが装着され、下方垂直管の上端部に上記継手の下方管受け口が装入され、上方垂直管が上記継手の上方管受け口に挿入され、上方垂直管を下方に押すことで、止水リングが上記凹溝に嵌合するようにされていても良い。
【０００９】
継手本体は、大口径で重量が大きい管同士を接続するための継手としての強度があり、かつ耐食性に優れたものであれば良く、例えば一例として、熱可塑性合成樹脂、繊維強化熱硬化性合成樹脂（ＦＲＰ）、レジンコンクリート（ＦＲＰＭ）等が挙げられる。
【００１０】
継手の管受け口の入口口径は、いずれの発明においても、垂直管の外径と略同じで僅かに大きくされる。ただし、奥部は可能な限り管の外径と略同じであることが望ましい。このようにされていると、管端部を継手受け口に挿入する際に、垂直管に多少の振れがあっても挿入され易く、垂直管が継手奥まで挿入された際に、その管軸が継手の管軸と一致し、ジグザグになる恐れがほとんどなくなるからである。また、垂直管の挿入を容易にするために、継手の管受け口は、その一部が端部方向に向かって僅かに拡径されたテーパー状とされていても良い。
【００１１】
鍔は、その上方に積み重ねられる垂直管の重量を受けて変形はしても、座屈しない強度があり耐食性に優れたものであれば特に限定されないが、例えば一例として、熱可塑性合成樹脂、繊維強化熱硬化性合成樹脂（ＦＲＰ）、レジンコンクリート（ＦＲＰＭ）等合成樹脂類；ステンレススチール、アルミニウム等金属類；天然ゴム、合成ゴム、吸水性ゴム等弾性体類などが挙げられる。
【００１２】
止水リングは、上方に積み重ねられる垂直管の重量を受けて変形するが、その重量に耐えて止水性が保たれる材質のものが適用されれば良く、特に限定されないが、例えば一例として、ポリエチレン、ポリプロピレン、ナイロン等の弾性樹脂類；繊維強化熱可塑性弾性樹脂、繊維強化熱硬化性弾性樹脂等の可撓性合成樹脂類；天然ゴム、合成ゴム、吸水性ゴム等弾性体類；銅、真鍮、アルミニウム、ステンレススチール等金属類やこれらを弾性加工したもの；上記材料類を併用した複合材料類などが挙げられる。又、その断面形状も限定されず、通常の断面円形や楕円形、その他の形状の止水リングであって構わない。
【００１３】
なお、止水リングを用いる場合は、鍔は継手本体と同じ材料や金属等の硬質の材料とされていても良い。参考として、止水リングを用いない場合は、ステンレススチール、アルミニウム等金属類を弾性加工したもの；天然ゴム、合成ゴム、吸水性ゴム等の弾性体類など、それ自体が弾性を有するものが用いられる。
【００１４】
鍔の幅は、管の材質や垂直管の重量、積算重量等により適宜選択して決められれば良いが、通常は垂直管の管厚さと略同じか僅かに小さくされる。即ち、上述のように、上方に積み重ねられる垂直管の重量を受けて鍔が変形した際に、変形した鍔の一部が垂直管の内周方向に突出しないことが望ましいからである。
【００１５】
止水リングの直径は、上方に積み重ねられる垂直管の重量を受けて変形した際に、垂直管の内周方向に突出しない大きさとされることが望ましい。
【００１６】
止水リングは、鍔の両面又は少なくとも一方の面に設けられる。
【００１７】
鍔の上面又は下面の少なくとも一方の面中央部に、円周方向に沿って凹溝が設けられていても良い。下方垂直管の上端管端面又は上方垂直管の下端管端面の少なくとも一方の管端面に、上記凹溝に嵌合する止水リングが装着され、下方垂直管の上端部に上記継手の下方管受け口が装入され、上方垂直管が上記継手の上方管受け口に挿入され、上方垂直管を下方に押すことで、止水リングが上記凹溝に嵌合するようになっている。
【００１８】
この場合の鍔は硬質の材料であっても弾性を有する材料であっても構わないが、止水リングは天然ゴム、合成ゴム、吸水性ゴム等の弾性を有する材料であることが望ましく、鍔の一方の面側のみに装着されていても両側の面に装着されていても良い。
【００１９】
（作用）
本発明においては、上方垂直管と下方垂直管とが継手を介して接続され、その継手と上方又は下方垂直管との止水が、継手内周面に突設された鍔又は鍔面に装着された止水リングをそれぞれの垂直管の管端面で圧縮することで行われるので、確実な止水が出来る。かつ、接続部の管側面に止水リングがないために、管と継手とがこじた状態で固定されてしまう恐れが少ない上、継手管受け口の内径が垂直管の外径と略同一とされていると、垂直管の管端部を継手の管受け口内に挿入した際に、その管軸同士がほぼ一致する。従って、上方及び下方の垂直管同士は、その管軸がジグザグになることがない。
【００２０】
【発明の実施の形態】
次に、図面を参照して本発明を説明する。図１から図６は、それぞれ本発明の実施の一例を示す半断面図である。
【００２１】
図１においては、ＦＲＰＭ製円筒状継手１０の中央内周面に鍔１１が突設され、両方の継手端部が管受け口１２１、１２２とされ、下方管受け口（１２１）に下方垂直管２１の上端部が挿入され、上方管受け口（１２２）に上方垂直管２２の下端部が挿入されている。
【００２２】
鍔１１は、その上下両面が、上方又は下方垂直管２１、２２のいずれの管端面とも隙間なく当接可能とされ、その一方の面に止水リング（図１では上方止水リング１３２）が装着されている。止水リングの装着は、本例に限らず、図２のように他の面のみに装着されていても、図３のように両側の面に装着されていても良い。
【００２３】
鍔１１は、継手１０の製作時に同時に形成されており継手１０と一体となっている。異なる材料とする参考例として、図４に示されるように止水リングを用いない場合には、鍔１１自体をゴム等弾性体で製造し、これを継手１０内の所定の位置に固定すれば良い。また、このときには、鍔１１の上下両面にその中央部に円周方向に沿って凸状畦１１１、１１２を設け、これを止水リングの代用とされる。
【００２４】
止水リング１３１，１３２は、その断面が円形である一般的な物が多く適用されるが、断面が楕円形、矩形、台形、又はその他の形状であっても構わない。いずれの形状であっても、止水リング１３１、１３２と鍔１１と、又は上方又は下方垂直管２１，２２の管端面とは、止水リング１３１、１３２の全長に渡って均一に当接していることが必要である。鍔１１の上下両側面は、上述の通り、上方及び下方垂直管２１、２２の管端面にそれぞれ均一に当接するようにされているので、止水リング１３１、１３２が均一に当接していなければ、継手１０１の管軸と垂直管２１，２２の管軸とがずれてしまうからである。
【００２５】
鍔１１及び止水リング１３１、１３２は、上方垂直管２２が下方に押された際、圧縮力を受けて変形し、止水性能が発現する。圧縮されることにより、鍔１１、止水リング１３１、１３２共に管内側方向に突出するように変形するが、管路内に突出して管路内周面が平滑でなくなるようにすることは望ましくないので、突出しない又は突出量は最小限とされなければならない。
【００２６】
従って、鍔１１及び止水リング１３１、１３２の内径は、それぞれの材質、上方に積み重ねられる垂直管の合計重量、垂直管を流下する下水等の水量、垂直管の管端面の面圧、止水リングの断面形状等を勘案して、それらの変形量を個々に推定し、現場に応じて適宜選択して決定されれば良い。
【００２７】
図５は、鍔１１の中央部に円周方向に沿って止水リング１３１、１３２が嵌合可能な凹溝１１３、１１４が設けられている一例の断面図である。この場合では、上方垂直管２２が下方に押された際に、止水リング１３１、１３２が凹溝１１３，１１４に押し込まれるので止水が完全になり、かつ止水リング１３１、１３２が変形してもその位置がずれないので、管軸がずれることがない。但し、凹溝１１３、１１４は、変形した止水リング１３１、１３２を完全に格納可能な形状と大きさでなければならないことは言うまでもない。
【００２８】
またこの場合の鍔１１の材質は硬質な材料であっても弾性を有する材料であっても良いが、弾性を有する材料である場合は、鍔１１自体が変形しても、変形部が管路内に突出しないようにされていなければならないことは、上述の通りである。
【００２９】
止水リング１３１、１３２が嵌合可能な凹溝１１３、１１４は、鍔１１の上下両面に設けられていても、鍔１１の片面のみに設けられていても良く、片面のみに設けられる場合には、その反対面には止水リングが用いられても用いられなくても良い。止水リングが用いられない場合は、鍔部１１は弾性を有する材料で製作されていなければならないことは言うまでもない。なお、図５に例示した以外の、上述のように凹溝が設けられている場合は、その止水や接続の構造は図５から容易に類推できるので、例示していない。
【００３０】
継手１０の管受け口１２１，１２２は、図６に上方管受け口１２２の場合を示すように、その入口近傍の一部が、端部方向に向かって僅かに拡径するテーパー面１２２１とされていても良い。この場合では、上方垂直管２２の管端部が継手の管受け口１２２の入口テーパー面１２２１に沿って挿入し易く、かつ挿入後はテーパーがないので、垂直管２２の管軸と継手１０の管軸とがずれない。
【００３１】
【発明の効果】
以上の通りであるから、本発明の垂直方向の管接続方法は、特に大口径のＦＲＰＭ製垂直下水管を人孔内に設置する場合に、上方垂直管と下方垂直管との接続箇所において、互いの管軸同士がジグザグに折れて設置されてしまうことがなく、かつ止水性に優れた垂直方向の管接続方法となるのである。
【図面の簡単な説明】
【図１】  止水リングが上方垂直管と鍔との間にのみ装着されている参考例を示す半断面図である。
【図２】  止水リングが下方垂直管と鍔との間にのみ装着されている一例を示す半断面図である。
【図３】  止水リングが上方垂直管と鍔との間及び下方垂直管と鍔との間の両方に装着されている一例を示す半断面図である。
【図４】  止水リングが装着されていない参考例を示す半断面図である。
【図５】  鍔中央部に円周方向に沿って止水リングが嵌合可能な凹溝が設けられている一例の半断面図である。
【図６】  継手管受け口の構造の一例の一部を示す断面図である。
【符号の説明】
１０  円筒状継手
１１  鍔
１１１  鍔下部凸状畦
１１２  鍔上部凸状畦
１１３  鍔下部凹溝
１１４  鍔上部凹溝
１２１  下方管受け口
１２２  上方管受け口
１２２１  テーパー面
１３１  下方止水リング
１３２  上方止水リング
２１  下方垂直管
２２  上方垂直管
【図１】
0005129912.tif 000002
【図２】
0005129912.tif 000003
【図３】
0005129912.tif 000004
【図４】
0005129912.tif 000005
【図５】
0005129912.tif 000006
【図６】
0005129912.tif 000007